(57)【要約】  【課題】  下側貯留部材が満タン状態の場合に、前面カバー部材を前側方向に開いても、この下側貯留部材内の遊技球を引っ掛けることなく、スムーズに開けることが可能な遊技機を提供する。  【解決手段】  前面部材３５は、下端縁部の略中央部に略四角形の透かし孔３８が開設されている。この透かし孔３８は、この装飾カバー部材１５を閉じた場合に、機構板１８の下端部に設けられた下皿９が臨むように構成されている。下皿９の上側開口部４１は、前面側から奥側方向へ行くに従って高くなるように形成されている。カバー部材３６の凹み部５１の底面部５２は、下皿９の上端面部に沿うように前面側から奥側方向へ行くに従って高くなるように形成されている。底面部５２の下皿９の上側開口部４１に対向する位置には、この上側開口部４１とほぼ同じ大きさの取出口５３が穿設されている。  【選択図】  図８
2007089815.tif 000002
【特許請求の範囲】
【請求項１】
外枠に遊技者側の前面側にて開閉可能となるように取り付けられて、略中央部に開口部が開設される前枠部材と、
前記前枠部材の一側に開閉自在に軸着されて該前枠部材の前記開口部より下側前面部を覆うと共に、略中央部下方に透かし孔が形成される前面部材と、
前記前面部材の前記透かし孔より上側の前面部に設けられて払い出される賞球を受ける上側球貯留部材と、
前記前枠部材の前面部に前記透かし孔に臨むように設けられて上側開口部を有して前記上側球貯留部材から溢れた遊技球を受けて貯留する下側球貯留部材と、
前記上側球貯留部材の前面部及び該透かし孔から前方に突出する前記下側球貯留部材の周囲を覆う前面カバー部材と、
を備え、
前記前面カバー部材は、
前記上側球貯留部材と前記下側貯留部材との間に前記前面部材まで凹んで手が入るように形成される凹み部と、
前記凹み部の底面部に該下側貯留部材の上側開口部に対向して開設される取出口と、
を有し、
前記凹み部は、底面部が前面側から奥側方向へ行くに従って高くなるように形成されていることを特徴とする遊技機。
【請求項２】
前記凹み部は、左右側面部が前面側から奥側方向へ行くに従って内側方向に相互に近づくように形成され、上面部が前面側から奥側方向へ行くに従って低くなるように形成されていることを特徴とする請求項１に記載の遊技機。
【請求項３】
外枠に遊技者側の前面側にて開閉可能となるように取り付けられて、略中央部に開口部が開設される前枠部材と、
前記前枠部材の一側に開閉自在に軸着されて該前枠部材の前記開口部より下側前面部を覆うと共に、略中央部下方に透かし孔が形成される前面部材と、
前記前面部材の前記透かし孔より上側の前面部に設けられて払い出される賞球を受ける上側球貯留部材と、
前記前枠部材の前面部に前記透かし孔に臨むように設けられて上側開口部を有して前記上側球貯留部材から溢れた遊技球を受けて貯留する下側球貯留部材と、
前記上側球貯留部材の前面部及び該透かし孔から前方に突出する前記下側球貯留部材の周囲を覆う前面カバー部材と、
を備え、
前記前面カバー部材は、
前記上側球貯留部材と前記下側貯留部材との間に前記前面部材まで凹んで手が入るように形成される凹み部と、
前記凹み部の底面部に該下側貯留部材の上側開口部に対向して開設される取出口と、
前記取出口の奥側端縁部の全幅に渡って該奥側端縁部から上方に遊技球の直径よりも大きい高さを有するように切り欠かれる切欠部と、
を有することを特徴とする遊技機。
【発明の詳細な説明】
【技術分野】
【０００１】
本発明は、パチンコ機等の遊技機に関するものである。
【背景技術】
【０００２】
従来より、賞球を受ける上側球貯留部材の前面部、及び該上側球貯留部材から溢れた遊技球を受けて貯留する下側球貯留部材の周囲を覆う前面カバー部材を備えた遊技機に関して種々提案されている。
例えば、機枠の前面に前面枠を配設し、該前面枠の表側に景品球として排出されたパチンコ球を貯留する打球供給皿とその下方に位置して該打球供給皿から溢れたパチンコ球を貯留する余剰球受皿とを装着し、前面枠の裏側には遊技盤の下端を支持する腰板部を備えた遊技盤取付枠を設けてなるパチンコ機において、前記前面枠の一側に腰板部の前面を覆う前面板を開閉自在に軸着し、該前面板の前面に打球供給皿を装着すると共にその下方位置に透口を開設し、腰板部の前面に透口に臨む余剰球受皿を装着し、透口から前方へ突出する余剰球受皿の周囲を打球供給皿の前面を覆うカバー部によって囲うようにしたパチンコ機が提案されている（例えば、特許文献１参照。）。
【特許文献１】特開平１０−１３７４１２号公報（段落（０００８）〜（００１６）、図１〜図６）
【発明の開示】
【発明が解決しようとする課題】
【０００３】
しかしながら、上述のパチンコ機のカバー部の構造では、余剰球受皿に貯留されたパチンコ球を取り出すために手を差し込む差込口は、奥側壁面部の下端縁部と余剰球受皿の上端部との高低差がないため、余剰球受皿が満タン状態の場合に、このカバー部を前側方向に開くと、余剰球受皿内のパチンコ球を引っ掛けて、床に落としてしまう虞があり、迅速な保守点検が難しいという問題がある。
【０００４】
そこで、本発明は、上述した問題点を解決するためになされたものであり、下側貯留部材が満タン状態の場合に、前面カバー部材を前側方向に開いても、この下側貯留部材内の遊技球を引っ掛けることなく、スムーズに開けることが可能な遊技機を提供することを目的とする。
【課題を解決するための手段】
【０００５】
以下、前記目的を達成するための手段及びその作用効果について記載する。
請求項１に係る遊技機では、略中央部に開口部が開設される前枠部材が、外枠に遊技者側の前面側にて開閉可能となるように取り付けられている。そして、この前枠部材の開口部より下側前面部が、この前枠部材の一側に開閉自在に軸着されて略中央部下方に透かし孔が形成される前面部材によって覆われる。また、前面部材の透かし孔より上側の前面部には、払い出される賞球を受ける上側球貯留部材が設けられている。また、上側開口部を有して上側球貯留部材から溢れた遊技球を受けて貯留する下側球貯留部材が前枠部材の前面部に、透かし孔に臨むように設けられている。更に、上側球貯留部材の前面部及び該透かし孔から前方に突出する前記下側球貯留部材の周囲は、前面カバー部材によって覆われている。一方、前面カバー部材には、上側球貯留部材と下側貯留部材との間に前面部材まで凹んで手が入るように形成される凹み部と、この凹み部の底面部に該下側貯留部材の上側開口部に対向して開設される取出口とが設けられている。また、この凹み部は、底面部が前面側から奥側方向へ行くに従って高くなるように形成されている。
【０００６】
これにより、前面カバー部材に形成される凹み部の底面部は、前面側から奥側方向へ行くに従って高くなるように形成されているため、この凹み部の底面部に開設される取出口も前面側から奥側方向へ行くに従って高くなるように形成され、下側貯留部材が満タン状態になっても、この貯留された遊技球は、取出口の奥側端縁部よりも下側に位置することとなる。このため、前面カバー部材を前側方向に開いても、取出口の奥側端縁部が下側貯留部材内の遊技球を引っ掛けることなく、スムーズに開けることが可能となり、迅速に保守点検を行うことができる。
また、前面カバー部材を閉じる場合には、凹み部の底面部が下側球貯留部材の上端面に乗り上げた後に斜め上方へ案内されるため、前面カバー部材が重量によって傾いても該前面カバー部材を持ち上げることなくスムーズに閉じることができる。
また、上側球貯留部材の前面部と下側貯留部材の周囲は前面カバー部材で覆われるため、前枠部材の開口部より下側前面部分に一体感のあるデザイン処理を施すことが可能となる。
【０００７】
更に、請求項２に係る遊技機では、手が入るように形成される凹み部は、底面部が前面側から奥側方向へ行くに従って高くなるように形成され、左右側面部が前面側から奥側方向へ行くに従って内側方向に相互に近づくように形成され、更に、上面部が前面側から奥側方向へ行くに従って低くなるように形成されているため、この凹み部の内側面を正面から全て見ることができる。
従って、この前面カバー部材を吹き付け塗装によって仕上げる場合には、凹み部内の塗装は、正面から塗料を吹き付けるだけで塗装することが可能となり、塗装作業の効率化を図ることができると共に、塗装むらを無くして塗装品質の向上を図ることが可能となる。
【０００８】
また、請求項３に係る遊技機では、略中央部に開口部が開設される前枠部材が、外枠に遊技者側の前面側にて開閉可能となるように取り付けられている。そして、この前枠部材の開口部より下側前面部が、この前枠部材の一側に開閉自在に軸着されて略中央部下方に透かし孔が形成される前面部材によって覆われる。また、前面部材の透かし孔より上側の前面部には、払い出される賞球を受ける上側球貯留部材が設けられている。また、上側開口部を有して上側球貯留部材から溢れた遊技球を受けて貯留する下側球貯留部材が前枠部材の前面部に、透かし孔に臨むように設けられている。更に、上側球貯留部材の前面部及び該透かし孔から前方に突出する前記下側球貯留部材の周囲は、前面カバー部材によって覆われている。一方、前面カバー部材には、上側球貯留部材と下側貯留部材との間に前面部材まで凹んで手が入るように形成される凹み部と、この凹み部の底面部に該下側貯留部材の上側開口部に対向して開設される取出口と、その取出口の奥側端縁部の全幅に渡って該奥側端縁部から上方に遊技球の直径よりも大きい高さを有するように切り欠かれる切欠部とが設けられている。
【０００９】
これにより、凹み部の底面部に下側貯留部材の上側開口部に対向して開設される取出口の奥側端縁部の全幅に渡って該奥側端縁部から上方に遊技球の直径よりも大きい高さを有する切欠部が形成されているため、下側貯留部材が満タン状態の場合に、前面カバー部材を前側方向に開いても、取出口の奥側端縁部が下側貯留部材内の遊技球を引っ掛けることなく、スムーズに開けることが可能となり、迅速に保守点検を行うことができる。
また、上側球貯留部材の前面部と下側貯留部材の周囲は前面カバー部材で覆われるため、前枠部材の開口部より下側前面部分に一体感のあるデザイン処理を施すことが可能となる。
【発明を実施するための最良の形態】
【００１０】
以下、本発明に係る遊技機をパチンコ機について具体化した実施例１及び実施例２を図面を参照して詳細に説明する。
【実施例１】
【００１１】
先ず、実施例１に係るパチンコ機について図１乃至図８に基づき説明する。
図１乃至図３に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分に開設される開口部６１（図７参照）の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して不図示の遊技盤上の遊技領域を見ることができるように構成されている。また、前面カバー部材４の窓部５の左上端縁部には、フルカラーの発光ダイオードが内蔵され、遊技中のエラーを表示するエラー表示電飾ランプ６が取付けられている。また、前面カバー部材４の正面視四隅には、スピーカ７が配置されている。また、前面カバー部材４の前面部分は、窓部５の周囲が不透明な合成樹脂製の前面部材４Ａで覆われており、不図示のフルカラーダイオードが窓部５の外周部に沿って内蔵され、遊技中に光演出が行われる。
【００１２】
また、前面カバー部材４の右側端縁部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側は、賞球払出装置２２（図５参照）を介して払い出される賞球を受ける上皿８が上端部に配設された装飾カバー部材１５で覆われている。また、この装飾カバー部材１５は、左端縁部の上下を軸支されて、前面カバー部材４を開放後、内側に設けられた不図示のレバーを下げることにより開放できるように取付けられている（図４参照）。また、装飾カバー部材１５は、上皿８の前面部の全幅に渡って前面方向に膨出する膨出部１６が形成されている。そして、その膨出部１６内の上皿８の下側には、後述のように下皿９が機構盤１８の前面部に配設されている（図４参照）。そして、膨出部１６の下端縁部の左右方向中央位置には、球抜きボタン１７が配設されており、遊技者が球抜きボタン１７を押下することにより、下皿９にあるパチンコ球が膨出部１６の下端面に立設される略筒状の排出部４８（図８参照）から下方に排出されるように構成されている。
【００１３】
また、上皿８に連通する不図示の球送り機構を介して上皿８のパチンコ球が操作ハンドル１０によりパチンコ球の発射勢を調整される発射装置（不図示）へ送られるよう構成されている。この発射装置は、供給されるパチンコ球を連続的に叩打する発射ソレノイドや発射勢装置として機能する発射制御基板等から構成され、該発射制御基板は、操作ハンドル１０の内部に取り付けられる可変抵抗器（不図示）を介して発射ソレノイドへの供給電力が調節され、パチンコ球の発射勢を強めたり、弱めたりすることが可能なように構成されている。これにより、遊技者が操作ハンドル１０の回動量を調節することによって、可変抵抗器の抵抗値が増減され、発射ソレノイドによるパチンコ球の発射勢の加減を適宜行うことができるように構成されている。
また、外枠２の内枠３より下側部分の前面部を左右方向及び上下方向の各全幅に渡って覆うようにスピーカ筐体１１が設けられている。
また、内枠３を閉じた場合には、該内枠３の下端部は、その自重によってスピーカ筐体１１の上端面部に当接している。また、このスピーカ筐体１１の底面前端縁部には、左右方向全幅に渡って外枠２の下端面に対向する位置まで下方に突設されるリブ部１２（図３参照）が設けられている。
【００１４】
また、この内枠３のほぼ中央部には不図示の遊技盤が着脱自在なように鉄板等の金属製や合成樹脂製又は合成樹脂の一体成形により形成される機構盤１８（図４、図７参照）が取り付けられている。そして、この機構盤１８の裏側には合成樹脂製の機構セット盤２０（図８参照）が開閉自在に蝶番により取り付けられている。
また、パチンコ機１の裏側最上段には、上方に開口した賞球タンク２１が機構セット盤２０に固定されている。賞球タンク２０は、傾斜した底面に連通孔が形成され、その連通孔の下方にはパチンコ球を２列に整列流出し、賞球払出装置２２（図５参照）にパチンコ球を送る通路を形成するタンクレール２３が取付けられている。また、賞球払出装置２２内には、賞球案内部２４（図５参照）内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球払出装置２２等により賞球及び貸球の払い出しシステムが構成されている。
【００１５】
次に、装飾カバー部材１５及び下皿９の概略構成について図４乃至図８に基づいて説明する。
図４乃至図８に示すように、装飾カバー部材１５は、左端縁部の上下を各ヒンジ３１、３２を介して軸着されて前面側に開放可能に設けられ、内枠３の前面カバー部材４より下側前面部を覆う略平板状の前面部材３５と、この前面部材３５の前面側上端縁部に取り付けられる上皿８と、この上皿８の前面部から下側を覆うＡＢＳ等の合成樹脂製のカバー部材３６とから構成されている。
【００１６】
また、前面部材３５は、下端縁部の略中央部に略四角形の透かし孔３８が開設されている。この透かし孔３８は、この装飾カバー部材１５を閉じた場合に、機構板１８の下端部に設けられた下皿９が臨むように構成されている（図８参照）。また、この前面部材３５の裏側の軸着側上方角部には、賞球払出装置２２から払い出された賞球を上皿８に案内する賞球払出口３９が設けられている。また、前面部材３５の賞球払出装置２２に対向する外側上方角部には、上皿８のパチンコ球を不図示の発射装置へ１個ずつ案内する球供給装置４０が設けられている。
【００１７】
また、機構盤１８の前面部に取り付けられた下皿９は、側断面略Ｌ字状に形成され、この機構盤１８と協働して上側開口部４１を有する略箱体状を構成する。また、下皿９の上端面部は、前面側から奥側方向（図６中、右側方向）へ行くに従って高くなるように形成され、上側開口部４１は、前面側から奥側方向（図６中、右側方向）へ行くに従って高くなるように形成されている。また、機構セット盤２０には、賞球払出口３９から溢れた賞球を下皿９に案内する案内樋４３が、前枠３の背面部に配設されている。また、この案内樋４３と下皿９とは、前枠３の下皿９の裏面に対向する位置に穿設される断面略四角形の貫通孔４５を介して連通している。これにより、上皿８から溢れたパチンコ球は、案内樋４３及び貫通孔４５を介して下皿９に案内されて貯留される。また、下皿９の底面部にはシャッター部材４６が前後方向にスライド可能に設けられ、球抜きボタン１７を押すことによって球抜き孔４７が開閉され、排出部４８から下方に排出されるように構成されている。
【００１８】
また、カバー部材３６は、上皿８の前面部の全幅に渡って前面方向に膨出すると共に、前面部材３５の透かし孔３８から前方に突出する下皿９の周囲を覆う膨出部１６が中央部に形成されている。また、この膨出部１６の前面側中央部には、前面部材３５まで凹んで手が容易に入る正面視略四角形の凹み部５１が形成されている。この凹み部５１の底面部５２は、下皿９の上端面部に沿うように前面側から奥側方向へ行くに従って高くなるように形成され、該装飾カバー部材１５が閉じられた場合には、この底面部５２が下皿９の上端面部に沿うように構成されている。従って、装飾カバー部材１５が重量で傾いた場合には、該装飾カバー部材１５を閉じる場合に、底面部５２が下皿９の上端面部に乗り上げた状態で回動される。
また、この底面部５２の下皿９の上側開口部４１に対向する位置には、この上側開口部４１とほぼ同じ大きさの取出口５３が穿設されている。また、この凹み部５１内の左右の各側面部５５、５６は、前面側から奥側方向へ行くに従って内側方向に相互に近づくように形成されている。また、この凹み部５１内の上面部５７は、前面側から奥側方向へ行くに従って低くなるように形成されている。
【００１９】
ここで、内枠３は、前枠部材として機能する。また、上皿８は、上側球貯留部材として機能する。また、下皿９は、下側球貯留部材として機能する。また、カバー部材３６は、前面カバー部材として機能する。
【００２０】
従って、実施例１に係るパチンコ機１では、凹み部５１の底面部５２は、前面側から奥側方向へ行くに従って高くなるように形成されているため、この凹み部５１の底面部５２に開設される取出口５３も前面側から奥側方向へ行くに従って高くなるように形成され、下皿９が満タン状態になっても、貯留されたパチンコ球は、取出口５３の奥側端縁部よりも下側に位置することとなる。このため、装飾カバー部材１５を前側方向に開いても、凹み部５１の底面部５２に穿設された取出口５３の奥側端縁部が下皿９内のパチンコ球を引っ掛けることなく、スムーズに開けることが可能となり、迅速に保守点検を行うことができる。
また、装飾カバー部材１５を閉じる場合には、凹み部５１の底面部５２が下皿９の上端面に乗り上げた後に斜め上方へと案内されるため、装飾カバー部材１５が重量によって傾いても該装飾カバー部材１５を持ち上げることなくスムーズに閉じることができる。
【００２１】
また、上皿８の前面部と下皿９の周囲はカバー部材３６で覆われるため、内枠３の開口部６１より下側前面部分に一体感のあるデザイン処理を施すことが可能となる。
更に、カバー部材３６の手が容易に入るように形成される凹み部５１は、底面部５２が前面側から奥側方向へ行くに従って高くなるように形成され、この凹み部５１内の左右の各側面部５５、５６は、前面側から奥側方向へ行くに従って内側方向に相互に近づくように形成され、更に、この凹み部５１内の上面部５７は、前面側から奥側方向へ行くに従って低くなるように形成されている。このため、この凹み部５１の内側面を正面から全て見ることができる。従って、このカバー部材３６を吹き付け塗装によって仕上げる場合には、凹み部５１内の各面の塗装は、正面から塗料を吹き付けるだけで塗装することが可能となり、カバー部材３６の塗装作業の効率化を図ることができると共に、塗装むらを無くして塗装品質の向上を図ることが可能となる。
【実施例２】
【００２２】
次に、実施例２に係るパチンコ機について図９及び図１０に基づいて説明する。尚、上記実施例１に係るパチンコ機１と同一符号は、上記実施例１に係るパチンコ機１と同一あるいは相当部分を示すものである。以下、上記実施例１に係るパチンコ機１との相違点についてのみ説明する。
【００２３】
ここで、実施例２に係るパチンコ機の下皿と装飾カバー部材の概略構成について図９及び図１０に基づいて説明する。
図９及び図１０に示すように、下皿９の上端面部は、略水平になるように形成され、上側開口部４１は、略水平に形成されている。
【００２４】
また、この凹み部５１内の底面部５２、左右の各側面部５５、５６及び上面部５７は、膨出部１６の前面部から奥側方向に略直角に延出されている。また、この底面部５２の下皿９の上側開口部４１に対向する位置には、この上側開口部４１とほぼ同じ大きさの取出口５３が穿設されている。また、この取出口５３の奥側端縁部の全幅に渡って該奥側端縁部から上方にパチンコ球の直径よりも大きい所定高さ（望ましくは、パチンコ球の直径の約１．５倍以上で、一般にパチンコ球の直径は約１１ｍｍであることから、約１６．５ｍｍ以上の高さ寸法が望ましい。）を有するように切り欠かれる切欠部１０１が形成されている。
【００２５】
以上のように、実施例２に係るパチンコ機では、凹み部５１の底面部５２に下皿９の上側開口部４１に対向して穿設される取出口５３の奥側端縁部の全幅に渡って該奥側端縁部から上方にパチンコ球の直径よりも大きい高さを有する切欠部１０１が形成されている。このため、上端面部が略水平になるように形成された下皿９が満タン状態の場合に、装飾カバー部材１５を前側方向に開いても、取出口５３の奥側端縁部が下皿９内のパチンコ球を引っ掛けることなく、スムーズに開けることが可能となり、迅速に保守点検を行うことができる。
【００２６】
尚、本発明は、上記実施例に限定されるものではなく、本発明の要旨を逸脱しない範囲内で種々の改良、変形が可能であることは勿論である。
例えば、実施例１において、凹み部５１の左右の各側面部５５、５６及び上面部５７のうちの少なくとも一つを、膨出部１６の前面部から奥側方向に略直角に延出すること。尚、図１１及び図１２には、凹み部５１の左右の各側面部５５、５６及び上面部５７を、膨出部１６の前面部から奥側方向に略直角に延出させた例が示されている。
また、上記実施例１において、下側球貯留部材としての下皿９の上端面部を略水平に形成してもよい（例えば、実施例２と同様。）。また、上記実施例２において、下側球貯留部材としての下皿９の上端面部は例えば傾斜していてもよい（例えば、実施例１と同様）。つまり、装飾カバー部材１５を前側方向に開いても、取出口５３の奥側端縁部が下皿９内のパチンコ球よりも上側に位置すれば、この下皿９内のパチンコ球を引っ掛けることなく、スムーズに開けることが可能となり、装飾カバー部材１５を構成するカバー部材３６で下皿９を覆うことができれば、下側球貯留部材としての下皿９の上端面部の形状は問われない。
【図面の簡単な説明】
【００２７】
【図１】実施例１に係るパチンコ機全体を示した正面図である。
【図２】図１の平面図である。
【図３】図１の右側面図である。
【図４】実施例１に係るパチンコ機の装飾カバー部材を開いた状態を示す正面図である。
【図５】図４の左側面図である。
【図６】図４の右側面図である。
【図７】実施例１に係るパチンコ機の内枠に装飾カバー部材を取り付けた状態を示す正面図である。
【図８】図７のＸ−Ｘ矢視断面を示す側断面図である。
【図９】実施例２に係るパチンコ機の内枠に装飾カバー部材を取り付けた状態を示す正面図である。
【図１０】図９のＹ−Ｙ矢視断面を示す側断面図である。
【図１１】他の実施例に係るパチンコ機の内枠に装飾カバー部材を取り付けた状態を示す正面図である。
【図１２】図１１のＺ−Ｚ矢視断面を示す側断面図である。
【符号の説明】
【００２８】
１・・・パチンコ機、２・・・外枠、３・・・内枠、８・・・上皿、９・・・下皿、１５・・・装飾カバー部材、１６・・・膨出部、１８・・・機構盤、２０・・・機構セット盤、３５・・・前面部材、３６・・・カバー部材、３８・・・透かし孔、３９・・・賞球払出口、４１・・・上側開口部、４５・・・貫通孔、５１・・・凹み部、５２・・・底面部、５３・・・取出口、５５、５６・・・側面部、５７・・・上面部、６１・・・開口部、１０１・・・切欠部
【図１】
2007089815.tif 000003
【図２】
2007089815.tif 000004
【図３】
2007089815.tif 000005
【図４】
2007089815.tif 000006
【図５】
2007089815.tif 000007
【図６】
2007089815.tif 000008
【図７】
2007089815.tif 000009
【図８】
2007089815.tif 000010
【図９】
2007089815.tif 000011
【図１０】
2007089815.tif 000012
【図１１】
2007089815.tif 000013
【図１２】
2007089815.tif 000014